(57)【特許請求の範囲】
【請求項１】
吸込口と吹出口を連通し形成された空気流路に空気流を流通させる送風手段を設けた本体と、この本体に設けた給水タンクから給水される水槽と、この水槽の溜水に常に下部を浸し水平軸を中心に回転可能に設けた中空円筒形状の加湿フィルターと、この加湿フィルターを保持する加湿フィルター保持具を有し、この加湿フィルター保持具の内週部に、断面から見て放射状に配置される複数の風向調整リブを設け、前記加湿フィルター保持具の内側に、前記加湿フィルターの内側の風量バランスを調節する仕切板を備えた加湿装置。
【請求項２】
加湿フィルター、加湿フィルター保持具および仕切板は、一体的に結合して水槽に着脱可能に設けられ、前記水槽より分離したときは、分解可能となる請求項１記載の加湿装置。
【請求項３】
吸込口と吹出口を連通し形成された空気流路に送風空気を流通させる送風手段を設けた本体と、前記本体に設けた給水タンクから給水される水槽と、前記水槽の溜水に常に下部を浸し水平軸を中心に回転可能な加湿フィルターを備え、加湿フィルター入口側の外周縁近傍に入口風量調節具を設け、この入口風量調節具は加湿フィルターの回転位置に対応して通風量を調整する構成とした加湿装置。
【請求項４】
加湿フィルター入口側の外周縁近傍に、加湿フィルターへの風向を調節する入口風向調節具を備えた請求項３記載の加湿装置。
【請求項５】
加湿フィルター出口側の外周縁近傍に出口風量調節具を設け、この出口風量調節具は加湿フィルターの回転位置に対応して通風量を調整する構成とした請求項３または４記載の加湿装置。
【請求項６】
加湿フィルター出口側の外周縁近傍に、加湿フィルターの風向を調節する出口風向調節具を備えた請求項５記載の加湿装置。
【請求項７】
水槽の上部に載置される風量調節具または風向調節具は、前記水槽と着脱可能に設けた請求項３〜６のいずれかに記載の加湿装置。
【請求項８】
水槽を本体より着脱可能に設けるとともに、風量調節具または風向調節具を水槽より着脱可能とした請求項７記載の加湿装置。
【請求項９】
風量調節具または風向調節具の少なくとも一部が、本体と一体化してなる請求項３〜６のいずれかに記載の加湿装置。
【発明の詳細な説明】
【技術分野】
【０００１】
本発明は、水槽に一部を浸した加湿フィルターに通風して加湿する気化式の加湿装置に関する。
【背景技術】
【０００２】
従来、この種の加湿装置は、加湿フィルターの一部を水槽内に浸水させて回転し、通風することにより加湿する加湿装置が知られている（例えば、特許文献１参照）。
【０００３】
以下、その加湿装置について図１１を参照にしながら説明する。
【０００４】
図に示すように、加湿装置の本体１０５は、吸込口１０１と吹出口１０２を連通して形成される送風流路１０３に空気を流通させる送風手段１０４と加湿フィルター１０８を設け、円筒形状の加湿フィルター１０８は本体１０５に設けた水槽１０６の溜水に一部を浸した状態で、駆動モーターによって水平方向を軸として回転可能に支持されている。
【０００５】
加湿フィルター１０８が回転することで、カルキ成分の目詰まりによる影響が少なくなり、加湿フィルター１０８に水分量を充分に保有させることができ、加湿空気を室内に安定して供給することができるものである。
【特許文献１】特開２００６−１０５４４０号公報
【発明の開示】
【発明が解決しようとする課題】
【０００６】
このような従来の加湿装置では、加湿すべき空気が円筒形状の加湿フィルター１０８の一方の側面から他方の側面を通過する構成になっているため、気流が加湿フィルター１０８に対して直行する方向に進入する場合は、加湿フィルター１０８における圧力損失が低くて周囲への漏れはほとんどないが、気流が加湿フィルター１０８の斜め方向から進入する場合は、圧力損失が大きくなり加湿フィルター１０８以外から空気漏れが生じるため、加湿効率が悪くなってしまうという課題がある。
【０００７】
また加湿フィルター１０８の回転により、水槽１０６の溜水内から送風流路１０３に上昇するときは、加湿フィルター１０８が多量に保水し、かつ表面に水膜が形成されているので圧力損失が高くなり、また加湿フィルター１０８が送風流路１１３から水槽１０６中へ進入する直前においては、加湿フィルター１０８への水分の付着量が少ないので圧力損失が低くなり、加湿フィルター面に圧力損失の勾配が発生して、通風量が不均一となり加湿効率を高めるのが難しいという課題がある。
【０００８】
本発明は、このような従来の課題を解決するものであり、加湿フィルター面の直行方向に空気流を案内して圧力損失を低減して送風量を増やし、さらに加湿フィルターと本体間にエアリークが生じないようにするとともに、回転する加湿フィルターに付随する圧力損失の勾配を解消して、加湿効率を高めることのできる加湿装置を提供することを目的とする。
【課題を解決するための手段】
【００１１】
本発明の加湿装置は、上記目的を達成するために、吸込口と吹出口を連通し形成された送風流路に空気流を流通させる送風手段を設けた本体と、この本体に設けた給水タンクから給水される水槽と、この水槽の溜水に常に下部を浸し水平軸を中心に回転可能に設けた中空円筒形状の加湿フィルターと、この加湿フィルターを保持する加湿フィルター保持具を有し、この加湿フィルター保持具の内周部に、断面から見て放射状に配置される複数の風向調整リブを一体的に設け、加湿フィルター保持具の内側に、加湿フィルター内側の風量バランスを調節する仕切板を備えたものである。
【００１２】
また、他の手段は、加湿フィルター、加湿フィルター保持具および仕切板は、一体的に結合して水槽に着脱可能に設けられ、前記水槽より分離したときは、分解可能となるものである。
【００１３】
また、他の手段は、吸込口と吹出口を連通し形成された送風流路に空気流を流通させる送風手段を設けた本体と、前記本体に設けた給水タンクから給水される水槽と、前記水槽の溜水に常に下部を浸し水平軸を中心に回転可能な加湿フィルターを備え、加湿フィルター入口側の外周縁近傍に入口風量調節具を設け、この入口風量調節具は加湿フィルターの回転位置に対応して通風量を調整する構成としたものである。
【００１４】
また、他の手段は、加湿フィルター入口側の外周縁近傍に、加湿フィルターへの風向を調節する入口風向調節具を備えたものである。
【００１５】
また、他の手段は、加湿フィルター出口側の外周縁近傍に出口風量調節具を設け、この出口風量調節具は加湿フィルターの回転位置に対応して通風量を調整する構成としたものである。
【００１６】
また、他の手段は、加湿フィルター出口側の外周縁近傍に、加湿フィルターの風向を調節する出口風向調節具を備えたものである。
【００１７】
また、他の手段は、風量調節具または風向調節具を水槽と一体化して設けたものである。
【００１８】
また、他の手段は、水槽を本体より着脱可能に設けるとともに、風量調節具または風向調節具を水槽より着脱可能としたものである。
【００１９】
また、他の手段は、風量調節具または風向調節具の少なくとも一部が、本体と一体化してなるものである。
【００２０】
これらにより、加湿フィルター面の直行方向に空気流を案内して圧力損失を低減して送風量を増やし、さらに加湿フィルターと本体間にエアリークが生じないようにするとともに、回転する加湿フィルターに付随する圧力損失の勾配を解消して、加湿効率を高めることのできる加湿装置が得られる。
【発明の効果】
【００２３】
本発明によれば、風向調節リブにより、加湿フィルターを通過する気流が加湿フィルターに対して直行した方向に案内することにより、加湿フィルターの圧力損失の少ない部分間を流れるショートカットを防止して、加湿量を増やすことができる。さらに、圧力損失を低減して送風量を増やすことができ、充分に加湿した空気を室内に供給することができ、風量調節具と仕切板とにより、区分された各送風流路の圧力損失は略均等に調整されるので、加湿フィルターを通過する風量も全体的に均一化され、さらに、仕切板により加湿フィルター内の通風抵抗を少なく抑えることができ、風量調節具が加湿フィルターにバランスよく通風して、加湿フィルターの加湿能力を十分に発揮することができる。
【００２４】
また、加湿フィルターの清掃を行なうときに、風量調節具も取り外して同時に清掃をすることができるので、汚れやすい部分の清掃や修理が簡単に行なえ、ユーザーの手間をかけることなく便利に使用することができる。
【００２５】
また、入口風量調節具から加湿フィルター内面までの圧力損失が各部位において略均一となるように調整することにより、加湿フィルターの入口側の全面に略均一な風量を通過させることができ、保水量の多いフィルター部分にも通風して充分に加湿させることができる。
【００２６】
また、入口風向調節具により、空気流は加湿フィルターに対して直交方向に流入するため、圧力損失が低減して通風量を増加させることができ、加湿空気を室内に多量に供給することができ、さらに加湿フィルター以外の部位からのエアリークを少なく抑えることができる。
【００２７】
また、出口風量調節具から加湿フィルター内面までの圧力損失が各部位において概ね均一であるため、加湿フィルターの出口側の全面に対して均一な風量を通過させることができるので、多量に保湿しているフィルター部分からも充分に通風して加湿空気を供給することができ、乾燥した室内空気を充分に加湿することができる。
【００２８】
また、出口風向調節具により、加湿フィルター内部から加湿フィルター外部への気流が、加湿フィルターに対して直交方向に流れることにより、圧力損失が低減して通風量が増加するとともに、加湿フィルター以外の部位からのエアリークが少なく抑えられ、加湿能力を向上することができる。
【００２９】
また、水槽の設置具合に関わらず、加湿フィルターと入口ルーバーならびに出口ルーバーとの距離を一定にすることができるため、確実に風圧もしくは風量を制御することができる。
【００３０】
また、加湿フィルターならびに水槽の清掃を行なうとき、水槽と加湿フィルターと各ルーバーに分解したあとに清掃することができるため、各々の部品を容易かつ確実に清掃することができる。
【００３１】
また、加湿フィルターの清掃を行なうときは、本体から水槽を着脱するときに、同時に入口ルーバーならびに出口ルーバーを着脱することができ、使用者による組み立てや分解の手間を省くことができる。
【発明を実施するための最良の形態】
【００３４】
本発明の請求項１記載の加湿装置は、吸込口と吹出口を連通し形成された送風流路に空気流を流通させる送風手段を設けた本体と、この本体に設けた給水タンクから給水される水槽と、この水槽の溜水に常に下部を浸し水平軸を中心に回転可能に設けた中空円筒形状の加湿フィルターと、この加湿フィルターを保持する加湿フィルター保持具を有し、この加湿フィルター保持具の内周部に、断面から見て放射状に配置される複数の風向調整リブを一体的に設けたものであり、吸込口より流入した室内空気は、風向調節リブに沿って加湿フィルター内部へ流入し、風向調節リブに沿って加湿フィルター外部へ流出することとなる。よって、風向調節リブが加湿フィルターに対して直交して設けられているため、加湿フィルターに対して直交した方向で気流は加湿フィルターを通過し、加湿フィルターにおける圧力損失を小さく抑えることができ、また加湿フィルターを通過した気流を加湿フィルター保持具の中心方向に案内することにより、加湿フィルターの圧力損失の少ない部分間を流れるショートカットをできるだけ防止して、加湿量を増やすことができ、加湿フィルター保持具の内側に、加湿フィルターの内側に風量バランスを調節する仕切板を備えたものであり、加湿フィルターにおける圧力損失は、溜水より送風流路内へ浮上した位置で最大となり、送風流路内より溜水内へ浸水する位置で最小となるため、仕切板によって加湿フィルター内の送風流路を区分し、各送風流路の前後の圧力損失を加えると、その合計は略均等となり、加湿フィルターの通過風量も均一化される。さらに、仕切板が加湿フィルターの支持枠に対して平行または浅い角度に設けられているため、加湿フィルター内の通風抵抗を少なく抑えることができるという作用を有する。
【００３５】
また、加湿フィルター、加湿フィルター保持具および仕切板は、一体的に結合して水槽に着脱可能に設けられ、前記水槽より分離したときは、分解可能としたものであり、加湿フィルター保持具の内側に設けた仕切板を、加湿フィルターと一体として着脱できるので、加湿フィルターの清掃を行なうときに、仕切板も同時に水槽から取外して分離し、水洗いなどの清掃をすることが容易にできるという作用を有する。
【００３６】
また、吸込口と吹出口を連通し形成された送風流路に空気流を流通させる送風手段を設けた本体と、前記本体に設けた給水タンクから給水される水槽と、前記水槽の溜水に常に下部を浸し水平軸を中心に回転可能な加湿フィルターを備え、加湿フィルター入口側の外周縁近傍に入口風量調節具ならびに入口風向調節具として入口ルーバーを設けており、この入口ルーバーは加湿フィルターの回転位置に対応して通風量を調整する構成としたものであり、ルーバーの間隔を加湿フィルターの下向きの回転方向に対して順次狭めることで、ルーバーでの圧力損失を徐々に増加させ、風上側ルーバーでの圧力損失と加湿フィルターでの圧力損失の合計が各部位において概ね均等にすることができる。さらに、風上側ルーバーによって気流が加湿フィルター側に誘導されるため、加湿フィルターの上部と本体との隙間をリークする空気量を少なく抑えることができるという作用を有する。
【００３７】
また、加湿フィルター入口側の外周縁近傍に、加湿フィルターへの風向を調節する入口風向調節具を備えたものであり、入口風向調節具の風上側ルーバーが加湿フィルターの回転軸方向に対して略直交に設けてあるため、風上側ルーバーによって誘導された室内空気は、加湿フィルターに対して直交方向から加湿フィルター内部に流通することができるという作用を有する。
【００３８】
また、加湿フィルター出口側の外周縁近傍に出口風量調節具ならびに出口風向調節具として出口ルーバーを設け、この出口ルーバーは加湿フィルターの回転位置に対応して通風量ならびに風向を調整する構成としたものである。そして、加湿フィルターの回転方向に従って徐々にルーバーの間隔が狭くなる形状とすることにより、加湿フィルターの風下側における圧力損失は溜水より送風流路内へ浮上した位置が最大となっているので、出口ルーバーの間隔を加湿フィルターの上向きの回転方向に対応して順次狭めることで、ルーバーでの圧力損失を徐々に増加させ、出口ルーバーでの圧力損失と加湿フィルターでの圧力損失の合計が各部位において概ね均等にすることができるという作用を有する。また、出口ルーバーが加湿フィルターの回転軸方向に対して略直交して設けてあるため、加湿フィルターを通過した後の空気流は、加湿フィルターに対して直交した方向に案内されて通過し、加湿フィルターの外部に放射状に流通することができるという作用を有する。
【００３９】
また、入口ルーバーまたは出口ルーバーは、水槽に略一体に固定されているので、水槽の設置具合に関わらず加湿フィルターと各ルーバーの距離を一定に保つことができるという作用を有する。
【００４０】
また、水槽を本体より着脱可能に設けるとともに、入口ルーバーまたは出口ルーバーを水槽に対して着脱可能な状態で嵌合しているので、分離可能な水槽を本体から引き出して加湿フィルターを清掃するときは、水槽と加湿フィルターだけでなく、、入口ルーバーまたは出口ルーバーを水槽から取り外して容易に清掃することができるという作用を有する。
【００４１】
また、出口ルーバーの少なくとも一部が、本体と一体化したものであり、出口ルーバーは、第１出口ルーバーと第２出口ルーバーの２部品によって構成されており、第１出口ルーバーは本体に、第２出口ルーバーは水槽に設けられたものであり、加湿フィルターを清掃するときには、水槽を本体から横方向に引き出すと、加湿フィルターを水槽から分離して清掃できるものであり、このとき、第１出口ルーバーは本体に付設しているので本体側に残り、水槽に設けられた第２出口ルーバーは本体外に引き出され、水槽の着脱と同時に出口ルーバーの結合および分離を行なうことができるという作用を有する。
【００４２】
以下、本発明の実施の形態について、図面を参照しながら説明する。
【００４３】
（前提例１）
図１〜図３に示すように、本体５は吸込口１と吹出口２を連通して形成された送風流路３に送風手段４と加湿フィルター７を備え、給水タンク２０から給水される水槽６を有し、加湿フィルター７は水槽６の溜水に下部を浸した状態で回転可能に設けられている。
【００４４】
送風手段４は吹出口２と加湿フィルター７の間に配置され、吸入口４ａと吐出口４ｂを有したファンケーシング４ｃと、ファンケーシング４ｃに収納される遠心羽根４ｄと、この遠心羽根４ｄに連結される送風モーター４ｅを具備しており、送風モーター４ｅの駆動によって遠心羽根４ｄを回転させ、吹出口２より空気を吸込んで加湿フィルター７に通風し、吹出口２より加湿空気を室内に吹き出すものである。
【００４５】
また、中空円筒形状の加湿フィルター７は、発泡ウレタン基材の表面にタルクとバインダーからなる溶液を含浸または塗布したものであり、水平軸を備えた円筒形状の加湿フィルター保持具８の外周面に通風可能に装着されるとともに、加湿フィルター保持具８に設けた受動ギア９が駆動モーター９に係合して回転されるものである。加湿フィルター７の回転方向は、送風流路３の上流側に面して、空中から水中に向かう回転方向としている。
【００４６】
なお、加湿フィルター７は前記構成に限られるものではなく、例えば繊維束によって格子状にフィルターの外周面と内周面を形成し、この外周面と内周面を複数の繊維糸によって一体的に連結した通気性のよいフィルター基材を採用するようにしてもよく、この場合は前述の発泡ウレタン基材の加湿フィルターより圧力損失を低減して、大風量の加湿空気を室内に供給することができる。
【００４７】
また、加湿フィルター保持具８は、円筒形状の骨組みを有する第１加湿フィルター保持具８ａと、駆動モーター９の回転トルクを伝える受動ギア１０を備えた第２加湿フィルター保持具８ｂにより構成されている。第１加湿フィルター保持具８ａは内周部に、内周方向に一定間隔で配置される複数の風向調整リブ１１を一体に形成し、この風向調整リブ１１は、加湿フィルター保持具８の中心を同心として放射状に配置されている。すなわち、風向調整リブ１１は、中空円筒形状の加湿フィルター７の中心に向けて円周面に対して直交方向に配置されているので、加湿フィルター７を通過する空気流を中心方向に案内するものである。さらに多数の円環状もしくは円板状の支持枠１２を、加湿フィルター７を横断する方向（輪切りにする方向）に等間隔に設けて、風向調整リブ１１と直交方向に一体的に配置している。
【００４８】
上記構成により、吸込口１より流入した室内空気は、一方の風向調節リブ１１に沿って加湿フィルター７の中心方向に案内され、対面する反対側の風向調節リブ１１に沿って加湿フィルター７に直交して外部へ流出することとなる。よって、風向調節リブ１１が加湿フィルター７に対して直交して設けられているため、気流は加湿フィルター７に直交方向で通過し、加湿フィルター７における圧力損失を低減させることができる。
【００４９】
また支持枠１２が多数の円環状もしくは円盤状にて構成されているので、加湿フィルター７の円筒形状を多数の支持枠１２によって保持することができるため、加湿フィルター７に対して応力が加わった場合でも、円筒形状を維持することにより、隙間を生じないようにして、エアリークを未然に防ぐことができる。また、支持枠１２は、加湿フィルター保持具８内の気流が、隣り合う支持枠１２間を通過するように案内するので、風向調節リブ１１の中心方向へ気流を案内する機能と相乗的に作用して、通風気流を加湿フィルター７に対して直交方向に通過するように確実に案内するとともに、加湿フィルター７内の気流の乱れを防止して整流することができる。したがって、加湿フィルター７に備わる加湿機能を充分に発揮させて加湿能力を向上することができるとともに、通風量を増加しても、加湿フィルター７内の整流機能により、騒音の増加を抑えて低騒音化することができる。
【００５０】
（実施の形態１）
図４〜図６に示すように、加湿フィルター保持具８は、円筒形状の骨組みを有する第１加湿フィルター保持具８ａと、駆動モーター９の回転トルクを伝える受動ギア１０を備えた第２加湿フィルター保持具８ｂと、第１加湿フィルター保持具８ａの内周部に近接して設けた第３加湿フィルター保持具８ｃを備えている。
【００５１】
第１加湿フィルター保持具８ａには、加湿フィルター７を横断する方向に多数の円環状の支持枠１２が設けられており、また第３加湿フィルター保持具８ｃには、加湿フィルター７内部を上下方向に略均等に分割する仕切板１３と、水槽６に設けた固定リブ受け部１４と嵌合することで第３加湿フィルター保持具８ｃを水槽６に固定する固定リブ１５が備えられている。また、第２加湿フィルター保持具８ｂは固定リブ１５が貫通可能なように回転軸を空洞としている。よって、駆動モーター９の回転トルクは受動ギア１０によって加湿フィルター７ならびに第１加湿フィルター保持具８ａを回転するが、固定リブ１５によって水槽６と嵌合されている第３加湿フィルター保持具８ｃは、駆動モーター９の回転に関わらず常に一定の位置で固定されるものである。
【００５２】
上記構成により、加湿フィルター７における圧力損失は、水槽６の溜水から送風流路３内へ回動した位置で最大となり、送風流路３内より溜水内へ浸水する位置で最小となるため、仕切板１３によって加湿フィルター７内部の送風流路を区分し、各送風流路の前後の圧力損失を加えると、その合計は相殺されて略均等となるため、加湿フィルター７の通過風量も均一化される。さらに、仕切板１３の端部が加湿フィルター７に対して略直交しているため、仕切板１３によって誘導された気流は、加湿フィルター７に対して直交して通過し、加湿フィルター７における圧力損失を抑えることが可能となる。
【００５３】
また、図５に示すように、加湿フィルター７と第１加湿フィルター保持具８ａ、第２加湿フィルター保持具８ｂ、第３加湿フィルター保持具８ｃを同時に水槽６より取り外し、個々に分離することができるため、加湿フィルター７の清掃を容易に行なうことが可能となる。
【００５４】
（実施の形態２）
図７〜図９に示すように、加湿フィルター７の入口側の外周縁近傍に入口ルーバー１６を設け、加湿フィルター７の出口側の外周縁近傍に出口ルーバー１７を設けている。入口ルーバー１６ならびに出口ルーバー１７は、加湿フィルター７に対して略直交方向に設け、また加湿フィルター７の回転方向に対して徐々にルーバーの間隔が狭くなる寸法関係として、圧力損失を増加させる構成としている。また、図８に示すように、入口ルーバー１６ならびに出口ルーバー１７は水槽６に対して着脱可能な状態で設けられている。
【００５５】
上記構成により、入口ルーバー１６を加湿フィルター７の回転方向に従って徐々にルーバーの間隔が狭くなる構成としているので、加湿フィルター７の風上側における圧力損失は、送風流路３内より溜水内へ進水する位置で最小となっているので、ルーバーの間隔を加湿フィルター７の下向きの回転方向に対して順次狭め寸法関係とすることで、ルーバーでの圧力損失を徐々に増加させることにより、入口ルーバー１６での圧力損失と加湿フィルター７での圧力損失の合計を、加湿フィルター７の風上側の各部位において概ね均等にすることができるものであり、風上側全部位において均等に加湿することができるため、効率よく加湿空気を室内に供給することができる。さらに、入口ルーバー１６によって気流が加湿フィルター７側に誘導されるため、加湿フィルター７の上部と本体５との隙間をリークする空気量を抑えることができる。
【００５６】
また、入口ルーバー１６が加湿フィルター７に対して略直交に設けてあるため、入口ルーバー１６によって誘導された室内空気は、加湿フィルター７に対して直交方向から加湿フィルター７内部に流通することができる。
【００５７】
また、加湿フィルター７の風下側の外周近傍に設けた出口ルーバー１７において、加湿フィルター７の風下側における圧力損失は、水槽６の溜水から送風流路３内へ回転して浮上した位置が最大となっているので、出口ルーバー１７の間隔を加湿フィルター７の上向きの回転方向に対応して順次狭める寸法関係とすることで圧力損失を徐々に増加させ、出口ルーバー１７での圧力損失と加湿フィルター７での圧力損失の合計を、各部位において概ね均等にすることができる。なお、入口ルーバー１６と出口ルーバー１７を併用する場合は、各ルーバーの順次狭める間隔を調節することにより、入口ルーバー１６、出口ルーバー１７および加湿フィルター７の圧力損失の合計を、各部位において概ね均等にすることができる。
【００５８】
また、出口ルーバー１７が加湿フィルター７に対して略直交して設けてあるため、出口ルーバー１７によって誘導された気流は、加湿フィルター７に対して直交方向に加湿フィルター７外部へ流通することができる。
【００５９】
また、図９に示すように、入口ルーバー１６ならびに出口ルーバー１７は、水槽６に直接設けているので、水槽６の設置具合に関わらず加湿フィルター７と各ルーバーの距離を一定に保つことができ、エアリークの生じない寸法関係を維持して、確実に取り付けることができる。
【００６０】
また、入口ルーバー１６ならびに出口ルーバー１７は、水槽６に対して着脱可能な状態で嵌合しているので、分離可能な水槽６を本体５から引き出して加湿フィルター７を清掃するときは、水槽６と加湿フィルター７だけでなく、各ルーバーを水槽６から取り外して容易に清掃することができる。
【００６１】
（実施の形態３）
図１０に示すように、出口ルーバー１７は、本体５に設けられた第１出口ルーバー１７ａと、水槽６に設けられた第２出口ルーバー１７ｂの２部品によって構成されており、第２出口ルーバー１７ｂは水槽６に対して着脱可能な状態で嵌合されているものである。
【００６２】
上記構成により、水槽６を本体５から引き出すと、第１出口ルーバー１７ａは本体５に付設しているので本体側に残り、水槽６に設けられた第２出口ルーバー１７ｂは本体外に引き出され、水槽６の着脱と同時に出口ルーバー１７の結合および分離を行なうことができる。よって、加湿フィルター７の清掃を行なうときは、本体５から水槽６を着脱し、入口ルーバー１６と第２出口ルーバー１７ｂとの空間より加湿フィルター７を取り外すことができるため、使用者による組み立てや分解の手間を省くことができる。
【産業上の利用可能性】
【００６３】
加湿フィルターへの通風方向を適正に制御した、圧損が少なく風量が大なる加湿機能を利用して、コンパクトで高い加湿性能を備えた加湿装置が提供でき、一般家庭の室内だけでなく、業務用加湿装置、空気調和装置などへの用途にも適用できる。
【図面の簡単な説明】
【００６４】
【図１】前提例１における加湿装置の要部破断の外観斜視図
【図２】同加湿装置の概略の正面断面図
【図３】同加湿装置の気流を示す概略の側面断面図
【図４】本発明の実施の形態１における加湿装置の要部破断の外観斜視図
【図５】同加湿装置の気流を示す概略の側面断面図
【図６】同加湿装置の清掃時の手順を示す分解斜視図
【図７】本発明の実施の形態２における加湿装置の要部破断の外観斜視図
【図８】同加湿装置の気流を示す概略の側面断面図
【図９】同加湿装置の清掃時の手順を示す分解斜視図
【図１０】本発明の実施の形態３における加湿装置の清掃時の手順を示す分解斜視図
【図１１】従来の加湿装置における概略断面図
【符号の説明】
【００６５】
１    吸込口
２    吹出口
３    送風流路
４    送風手段
５    本体
６    水槽
７    加湿フィルター
８    加湿フィルター保持具
１１  風向調節リブ
１２  支持枠
１３  仕切板
１６  入口ルーバー（入口風量調節具、入口風向調節具）
１７  出口ルーバー（出口風量調節具、出口風向調節具）
２０  給水タンク
【図１】
0005145853.tif 000002
【図２】
0005145853.tif 000003
【図３】
0005145853.tif 000004
【図４】
0005145853.tif 000005
【図５】
0005145853.tif 000006
【図６】
0005145853.tif 000007
【図７】
0005145853.tif 000008
【図８】
0005145853.tif 000009
【図９】
0005145853.tif 000010
【図１０】
0005145853.tif 000011
【図１１】
0005145853.tif 000012